(57)【要約】【課題】  運搬や配置等のスラブ施工性とともに、コンクリートとの付着性及びコンクリート補強性能を高め中空部の形成即ちスラブ施工の信頼性が向上している。【解決手段】  薄板１に多数の小孔２又は３を形成した有孔プレート５に補強メッシュ筋８を溶接９して組み合わせた補強メッシュ筋付き有孔プレート１０ａに形成して、該補強メッシュ筋８付き有孔プレート１０を複数の折曲線０−０で折曲して上面部１１ａと該上面部の両端部を下向へ向け連接した両側縁部１１ｂによって全体的に下向き溝状に構成された補強メッシュ筋付き有孔プレート製ボイド２０ａに特徴を有し、前記の補強メッシュ筋付き有孔プレート製ボイドにおいて、両側縁部の下縁を外側に向けて折曲して短い下面部１１ｄを連接したことに特徴を有し、又は、両側縁部の間に連設した下面部１１ｄを設けて全体的に筒状に構成したことに特徴を有し、さらに、前記の有孔プレート製ボイドの端部形状に対応させて形成した閉鎖面部３０と該閉鎖面部の一側の周囲に嵌合部３１とを具備した補強メッシュ筋付き有孔プレート製ボイド特徴を有する。【選択図】図１
2004176540.tif 000002
【特許請求の範囲】
【請求項１】
薄板に多数の小孔を形成した有孔プレートに補強メッシュ筋を溶接して組み合わせた補強メッシュ筋付き有孔プレートに形成して、該補強メッシュ筋付き有孔プレートを複数の折曲線で折曲して上面部と該上面部の両端部から下向へ向けて連接した両側縁部によって全体的に下向き溝状に構成したことを特徴とする補強メッシュ筋付き有孔プレート製ボイド。
【請求項２】
請求項１記載の補強メッシュ筋付き有孔プレート製ボイドにおいて、前記の上面部及び両側縁部によって全体的に下向き溝状に構成するとともに、両側縁部の下縁を外側に折曲して短い下面部を連接したことを特徴とする補強メッシュ筋付き有孔プレート製ボイド。
【請求項３】
請求項１記載の補強メッシュ筋付き有孔プレート製ボイドにおいて、前記の両側縁部の間に連設した下面部を設けて全体的に筒状に構成した特徴とする補強メッシュ筋付き有孔プレート製ボイド。
【請求項４】
請求項１、請求項２又は請求項３記載の補強メッシュ筋付き有孔プレート製ボイドにおいて、前記の有孔プレート製ボイドの端部形状に対応させて形成された閉鎖面部と該閉鎖面部の一側の周囲に対応させて連設された嵌合部とを具備し、前記の有孔プレート製ボイドの端部に嵌着して閉鎖する構成にしたことを特徴とするボイド端部閉鎖用キャップ。
【発明の詳細な説明】
【技術分野】
【０００１】    本発明は、各種の建造物に構築される床スラブ等の内部に埋設して、スラブ内に中空部を形成してスラブの厚さ即ち成りを大きく形成して配管等に利用する補強メッシュ筋付き有孔プレート製ボイド及びボイド端部閉鎖用キヤップに関するものである。
【背景技術】
【０００２】  各種の建造物に構築される床スラブ施工部内に配置して、スラブ内に中空部を形成してスラブの厚さ即ち成りを大きく形成して施工するとともに配管等に利用する従来のボイドは、帯状金属板をスパイラル状に巻回して形成した帯状金属板製筒状ボイドや、発泡樹脂により筒状に形成したスチロール製筒状ボイドが開発されて利用されている。【０００３】    前記の帯状金属板製筒状ボイドは、比較的に重量物に形成されて運搬、設置作業に手間取り、その帯状金属板はスラブの重量を増加している割合には比較的にコンクリートとの接着性に劣りコンクリート補強力の増加には格別に寄与されないなどの欠陥があった。【０００４】    また、前記のスチロール製筒状ボイドは、軽量化されて運搬や設置作業に便利になっているが、スラブ内部に形成する中空部の補強には格別に寄与されず、打設コンクリート耐力の増加には格別に寄与されず空間部の形成面積が狭められて、中空部内の利用価値（配線や配管等）が損なわれるなどの問題があった。【０００５】
【特許文献１】日本建築学会昭和６１年１０月２５日第１版発行の「プレキャスト鉄筋コンクリート構造の設計と施工」
【発明の開示】
【発明が解決しようとする課題】
【０００６】  本発明は、前記の帯状金属板製筒状ボイド及びスチロール製筒状ボイドにおける前記のような課題解決のために開発されたものであって、目的とする処は、軽量化して運搬や作業性、施工性とともにコンクリートの付着性及び補強性を高めて総合的にスラブ施工性、信頼性を向上した補強メッシュ筋付き有孔プレート製ボイド及びボイド端部閉鎖用キャップを提供するにある。
【課題を解決すための手段】
【０００７】  本発明の請求項１は、薄板に多数の小孔を形成した有孔プレートに補強メッシュ筋を溶接して組み合わせた補強メッシュ筋付き有孔プレートに形成して、該補強メッシュ筋付き有孔プレートを複数の折曲線で折曲した上面部と該上面部の両端部から下向へ向けて連接した両側縁部によって全体的に下向き溝状に構成した補強メッシュ筋付き有孔プレート製ボイドに特徴を有する。
【０００８】  本発明の請求項２は、前記の補強メッシュ筋付き有孔プレートにおいて、前記の補強メッシュ筋付き有孔プレート製ボイドにおいて、前記の上面部及び両側縁部によって全体的に下向き溝状に構成するとともに、両側縁部の下縁部を外側に折曲して短い下面部を連接したことに特徴を有する。
【０００９】  本発明の請求項３は、前記の補強メッシュ筋付き有孔プレート製ボイドにおいて、前記の両側縁部の下端部の間に連設した下面部を設けて全体的に筒状に構成したことに特徴を有する。
【００１０】    本発明の請求項４は、前記の補強メッシュ筋付き有孔プレート製ボイドにおいて、前記の有孔プレートの端部形状に対応させて形成された閉鎖面部と該閉鎖面部の一側の周囲に連設された嵌合部とを具備し、前記の有孔プレート製ボイドの端部に嵌着して閉鎖する構成にしたボイド端部閉鎖用キャップに特徴を有する。
【発明の効果】
【００１１】  本発明の補強メッシュ筋付き有孔プレート製ボイド（請求項１）は、前記のような構成からなり多数の小孔２を形成した有孔プレートとして、この有孔プレートに補強メッシュ筋を溶接して補強した補強メッシュ筋付き有孔プレートとして、複数の折曲線により折曲して溝状に構成したことにより、比較的に軽量化するとともに補強して運搬や配置等のスラブ施工性とともにコンクリートとの付着性及びコンクリート補強性能を高め総合的に中空部の形成即ちスラブ施工の信頼性を向上している。
【００１２】  本発明の補強メッシュ筋付き有孔プレート製ボイド（請求項２）は、前記のような構成からなり、両側縁の間に連設した下面部を付設した構成にしたことにより、配置の安定性を高められるなどさらに前記のスラブ施工性とともにコンクリートとの付着性及びコンクリート補強性能を高め中空部の形成即ちスラブ施工の信頼性を高めている。
【００１３】  本発明の補強メッシュ筋付き有孔プレート製ボイド（請求項３）は、前記のような構成からなり前記の両側縁部の下端間に連設した下面部を連設して全体的に筒状に構成したことにより、さらにスラブ施工性とともにコンクリートとの付着性及びコンクリート補強性能を高め中空部の形成即ちスラブ施工の信頼性を高めている。
【００１４】  本発明のボイド端部閉鎖用キャップ（請求項４）は、前記のような構成からなり前記の各有孔プレート製ボイドの端部に容易に嵌着されて閉鎖可能となり、さらに前記のスラブ施工性、信頼性が効果的に高められている。
【発明を実施するための最良の形態】
【００１５】  本発明の各実施例は、図３に示す有孔プレート５に補強メッシュ筋８を溶接９して補強した補強メッシュ筋付き有孔プレート１０（第１実施例）又は１５（第２実施例）によって製造される。即ち、前記の補強メッシュ筋付き有孔プレート１０又は１５を複数の折曲線０−０により折曲して形成した上面部１１ａと該上面部の両端部から下向へ向けて折曲した両側面部１１ｂ，１１ｂからなる下向溝状１１ａ−１１ｂ、１１ｂに構成された補強メッシュ筋付き有孔プレート製ボイド１０ａ（第１実施例−請求項１）、又は、前記の補強メッシュ筋付き有孔プレート製ボイドにおいて、両側部１１ｂ，１１ｂの下縁を外側に折曲して付設した短い下面部１１ｃを連接してなる補強メッシュ筋付き有孔プレート製ボイド１１ｂ（第２実施例−請求項２）、又は、前記の両側縁部１１ｂ，１１ｂの下端部の間に連設した下面部１１ｄを付設けて全体的に筒状１１ａ−１１ｂ，１１ｂ−１１ｄに構成された有孔プレート製ボイド１１ｃ（第３実施例−請求項３）、さらには、前記の補強メッシュ筋付き有孔プレート製ボイドにおいて、補強メッシュ筋付き有孔プレート製ボイドの端部形状に対応させて形成された閉鎖面部３０と該閉鎖面部の一側周囲に連設された嵌合部３１とを具備してなり、有孔プレート製ボイドの端部に嵌着して閉鎖するボイド端部閉鎖用キャップ３０，３１（請求項４）になっている。【００１６】  前記の補強メッシュ筋付き有孔プレート１０の基本例は、図３に示すよう比較的に薄鉄板即ち各種の金属板１に多数のスリットを形成して、全面的に引っ張って多数の小孔２を形成したエキスパンドメタル板等からなる有孔プレート５に形成するとともに、これをベースとして、好ましくて異型鉄筋等からなる複数本の横筋６及び縦筋７を適宜の間隔をおき全域に配置するとともにこれらの交点を溶接９して、前記の有孔プレート５にも全面的に溶接９して、補強用メッシュ状筋８として付設した補強メッシュ筋８付き有孔プレート１０に構成されている。この補強用メッシュ状筋８は、有孔プレート５の全域にわたり付着（溶接９）されて、有孔プレート５が効果的に補強された補強メッシュ筋８付き有孔プレートになっている。補強用メッシュ状筋８は、図示例ではその横筋６及び縦筋７を有孔プレート５の一面側のみに付着しているが、その横筋６及び又は縦筋７を有孔プレート５の両面に又は両面に分けて付設することもできる。また、図４に示す補強メッシュ筋付き有孔プレート１５により製造することもできる。また、前記の小孔２は、打設されるコンクリート中に混入されている骨材によって適度に目詰まりを生じてコンクリートミルクの流出を効果的に阻止する程度の細い孔に形成される。【００１７】  前記の補強メッシュ筋付き有孔プレート１５（変形例）は、前記の第１実施例に比べると図４に示すように前記と同様な薄鉄板即ち金属板４に多数の小孔３を複数列にして穿ち形成した有孔プレート５に形成されている。また、前記と同様な横筋６及び又は縦筋７を有孔プレート５の両面に分けて間隔をおき配置してそれらの交点を前記の有孔プレート５とともに溶接９して、補強メッシュ筋８付き有孔プレート１５にも構成されている。また、図４に示す補強メッシュ筋付き有孔プレート１５により製造することもできる。前記の小孔３は前記と同様に適度に目詰まりを生じ易くコンクリートミルクの流出が阻止される程度の細い孔に形成される。
【第１実施例】
【００１８】  本発明の第１実施例は、図３に示すように薄板１に多数の小孔２を形成したベースにして、好ましくは異型鉄筋により多数本の縦筋６及び横筋７を適宜の間隔をおき配置してそれらの交点を溶接９して補強メッシュ筋８としている。この補強メッシュ筋８を有孔プレート５にも溶接９を溶接９して組み合わせた補強メッシュ筋８を有孔プレート５にも溶接９して付設した補強メッシュ筋８付き有孔プレート１０に形成して、図２Ａに示すように補強筋付き有孔プレート１０を複数の折曲線０−０で折曲して上面部１１ａと両側縁部１１ｂ、１１ｂからなる該上面部の両端部から下向へ向けて連接した両側縁部１１ｂ、１１ｂによって全体的に下向き溝状１１ａ−１１ｂ、．１１ｂａに構成したことを特徴とする。図示の補強メッシュ筋付き有孔プレート製ボイド２０ａのの図示例は、補強メッシュ筋８をボイド２０ａの内面側にして設けているが、必要に応じ逆面側に折曲した構造にすることも可能ある。
【第２実施例】
【００１９】  本発明の第２実施例は、前記の第１実施例に比べると、図１に示すように前記の補強メッシュ筋付き有孔プレート製ボイドにおいて、前記の上面部１１ａ及び両側縁部１１ｂ，１１ｂによって全体的に下向溝状１１ａ−１１ｂ，１１ｂに構成するとともに、両側縁部１１ｂ，１１ｂの下縁を外側に折曲して短い下面部１１ｃ、１１ｃを連接した補強メッシュ筋付き有孔プレート製ボイド２０ｂに構成されている。
【第３実施例】
【００２０】  前記の第１実施例及び第２実施例に比べると、図２Ｂに示すように前記の補強メッシュ筋付き有孔プレート製ボイドにおいて、前記の両側縁部１１ｂ，１１ｂの間に連設した下面部１１ｄを設けて全体的に筒状１１ａ−１１ｂ−１１ｄ−１１ｂに構成した補強メッシュ筋付き有孔プレート製ボイド２０ｃにも構成されている。
【第４実施例】
【００２１】  ボイド端部閉鎖用キャップの実施例は、図６に示すように前記の補強メッシュ筋付き有孔プレート製ボイドにおいて、有孔プレート製ボイド２０ａ，２０ｂ又は２０ｃの端部形状に対応させて形成した閉鎖面部３０と該閉鎖面部の一側周囲に対応させて連設した嵌合部３１とを具備し、前記の有孔プレート製ボイドの端部に嵌着して閉鎖する構成にしたことを特徴とするボイド端部閉鎖用キャップに構成されている。なお、このボイド端部閉鎖用キャップは、好ましくは図３や４に示す補強メッシュ筋付き有孔プレートによって形成され、必要に応じ各種の合成樹脂、金属あるいは厚紙によっても製造可能である。
【００２２】  前記の補強メッシュ筋付き有孔プレート製ボイド２０ｂによって床スラブを構築する場合は、先ず図６Ａに示すように各種の建築物に立て込まれている柱間に架設されているデッキプレート上側に適宜のスペーサー５１を配置し、スペーサー上側に下梁主筋を縦横に配置して、波状筋４１と好ましくは異型鉄筋製の上弦筋４２及び下弦筋４３０とからなる複数のラチス筋４０を、下端梁主筋上に適宜の間隔で立て込み、一時的にコンクリートＣ１を型枠の上側にラチス筋４０の下部まで打設して適宜に養生した後、図６Ｂ、Ｃに示すように複数の補強メッシュ筋付き有孔プレート製ボイド２０ｂの端部をボイド端部閉鎖用キャップ３０又は３１を嵌着して閉鎖し、この補強メッシュ筋付き有孔プレート製ボイド２０ｂを各ラチス筋４０の間において前記の一次打設のコンクリートＣ１上に配置し、各ラチス筋４０の上弦筋を縦横に配置したのち、一次打設のコンクリートＣ１上に各ラチス筋４０間から上端梁主筋上まで、二次打設のコンクリートＣ２を打設して養生すると、各補強メッシュ筋付き有孔プレート製ボイド２０ｂの内部に中空部Ｓが効果的に形成されて床スラブとして効果的に構築される。
【００２３】  また、補強メッシュ筋付き有孔プレート製ボイド２０ａ（第１実施例）を使用してスラブを構築する場合も、前記のスラブ構築とほぼ同様に構築される。補強メッシュ筋付き有孔プレート製ボイド２０ｃ（だ３実施例）を使用する場合は、前記の一次打設のコンクリートＣ１が不要になる。
【００２４】  前記のスラブ構築においては、比較的に軽量に形成されて、運搬に便利にあり容易に精度良く配置されて施工の信頼性が高められる。また、各補強メッシュ筋付き有孔プレート製ボイドに設けられている多数の小孔２又は３は、打設されたコンクリートに混入骨材で目詰りし勝ちとなり、コンクリートミルクの流出が効果的に阻止されて、内部に中間部Ｓが効果的に形成されるとともに、コンクリートが多数の小孔２又は３によって付着し勝ちとなり、補強メッシュ筋付き有孔プレート製ボイドにおけるコンクリートの付着性が効果的に高められている。さらにまた、補強メッシュ筋８によって効果的にコンクリートが補強されてスラブの施工信頼性が高められている。
【産業上の利用可能性】
【００２５】  本発明は、各種の建造物のスラブ施工等において、内部に空洞部を形成する際に活用され、そのスラブの厚さ増加及び強化策等として又は内部に空洞部を形成してその内部に配管等を配置する場合等にも利用される。
【図面の簡単な説明】
【００２６】
【図１】  本発明の補強用メッシュ筋付き有孔メタルプレート（第１実施例）により製造された補強用メッシュ筋付き有孔メタルプレートの（第２実施例）を示す端面図（）及び其の側視図（Ｂ）
【図２】  ボイド端面部を閉鎖する端部閉鎖用キャップの第１実施例を示すその正面図（Ａ）及びその第３実施例を示す正面図（Ｂ）
【図３】  補強用メッシュ筋付き有孔メタルプレートの第１実施例を示す平面図
【図４】  補強用メッシュ筋付き有孔メタルプレートの第２実施例を示す平面図
【図５】  ボイド端面部を閉鎖する端部閉鎖用キャップの第１実施例を示すその斜視図（Ａ）及びその第２実施例を示す斜視図（Ｂ）
【図６】  スラブ施工法の一実施例を示す第１工程を示す側視図（Ａ）、第２工程を示す側視図（Ｂ）及び第３工程を示す側視図（Ｃ）である。
【符号の説明】
【００２７】１      薄鉄板
２      小孔
５      有孔薄鉄板
８      補強用メッシュ筋
９      溶接
１０    補強用メッシュ筋付き有孔メタルプレート
１０ａ  上面部
１０ｂ  側面部
１０ｃ  突出下面部
２０ａ、２０ｂ、２０ｃ  補強用メッシュ筋付き有孔メタルプレート製ボイド
【図１】
2004176540.tif 000003
【図２】
2004176540.tif 000004
【図３】
2004176540.tif 000005
【図４】
2004176540.tif 000006
【図５】
2004176540.tif 000007
【図６】
2004176540.tif 000008
【手続補正書】
【提出日】平成16年1月5日(2004.1.5)
【手続補正１】
【補正対象書類名】明細書
【補正対象項目名】００２１
【補正方法】変更
【補正の内容】
【００２１】
また、ボイド端部閉鎖用キャップの実施例は、図6に示すように前記の補強メッシュ筋付き有孔プレート製ボイドにおいて、有孔プレート製ボイド20a，20b又は20cの端部形状に対応させて形成した閉鎖面部30と該閉鎖面部の一側周囲に対応させて連設した嵌合部31とを具備し、前記の有孔プレート製ボイドの端部に嵌着して閉鎖する構成にしたことを特徴とするボイド端部閉鎖用キャップに構成されている。なお、前記のボイド端部閉鎖用キャップは、好ましくは図3や4に示す補強メッシュ筋付き有孔プレートの端部部分を変形しても形成される。必要に応じ各種の合成樹脂、金属あるいは厚紙によっても製造可能である。